(57)【要約】【課題】配管接続部材の雌側接続部同士を１つのクイックファスナにより接続可能で、通路抵抗の増大を招くことなく接続可能で、 配管接続部材の接続前からアダプタを配管接続部材に保持可能な配管接続用アダプタを提供すること。【解決手段】配管接続部材(11,13)との間をシールするシール部材(23)を備え且つ互いに接続される１対の配管接続部材の間に介装される配管接続用アダプタ(15)であって、前記配管接続用アダプタは、金属製パイプ材で短管状に形成されて前記１対の配管接続部材に挿入した状態に組み込み可能であり、前記配管接続用アダプタの少なくとも一方の端部には、前記配管接続部材の内部に形成された係止溝(18a)に係合可能な係合部(21)が形成されている。【選択図】図４
2019143760.tif 000002
【特許請求の範囲】
【請求項１】
配管接続部材との間をシールするシール部材を備え且つ互いに接続される１対の配管接続部材の間に介装される配管接続用アダプタであって、
前記配管接続用アダプタは、金属製パイプ材で短管状に形成されて前記１対の配管接続部材に挿入した状態に組み込み可能であり、
前記配管接続用アダプタの少なくとも一方の端部には、前記配管接続部材の内部に形成された係止部に係合可能な係合部が形成されていることを特徴とする配管接続用アダプタ。
【請求項２】
前記1対の配管接続部材は夫々フランジ部を有し、１対の前記フランジ部を１つのクイックファスナで連結可能にするために、前記配管接続用アダプタは１対の配管接続部材の内部に挿入した状態に装着可能であることを特徴とする請求項１に記載の配管接続用アダプタ。
【請求項３】
前記係合部は、前記配管接続用アダプタの端部に外径側へ突出するように形成された複数の円弧状凸部を備え、この円弧状凸部同士間には軸心方向へ延びるスリットが形成されていることを特徴とする請求項１又は２に記載の配管接続用アダプタ。
【請求項４】
前記配管接続用アダプタは、給湯設備の湯水混合装置の配管接続部材と、前記湯水混合装置に接続される周辺機器の配管接続部材とを接続する配管接続部に組み込まれることを特徴とする請求項３に記載の配管接続用アダプタ。
【発明の詳細な説明】
【技術分野】
【０００１】
本発明は、１対の配管接続部材を接続するための配管接続用アダプタに関する。
【背景技術】
【０００２】
１対の配管接続部材（管部材）を接続する構造として、一方の管部材に雄ネジ部を形成し、他方の管部材に雌ネジ部を形成し、雄ネジ部と雌ネジ部をネジ結合する構造が公知である（特許文献１の図１４参照）。
また、一方の雄側管部材に形成した接続筒部を雌側管部材に内嵌させ、雄側管部材と雌側管部材に夫々形成した１対のフランジ部を弾性クリップ(クイックファスナ)で連結する構造も公知である（特許文献１の図１５参照）。
【０００３】
その他、管部材の雌側接続部に別の管部材の雌側接続部を接続する接続構造、ネジ結合型の接続部にネジ結合型以外の接続部を接続する接続構造等の種々の接続構造がある。
特許文献１には、管部材の雌側接続部に螺合させたアダプタと１つの弾性クリップを用いて１対の管部材を接続する接続構造（特許文献１の図１参照）、また管部材の雄側接続部に螺合させたアダプタと１つの弾性クリップを用いて１対の管部材を接続する接続構造（特許文献１の図２参照）も開示されている。また、１対の管部材の接続部をアダプタと２つの弾性クリップを用いて接続する接続構造（特許文献１の図３、図４、図７、図８参照）も開示されている。
【０００４】
特許文献２には、可撓管の接続部に装着したアダプタの接続筒部を他方の雌側管部材に内嵌させ、１つの弾性クリップで１対のフランジ部を連結することで可撓管と雌側管部材を接続する構造が開示されている。
【先行技術文献】
【特許文献】
【０００５】
【特許文献１】特開２０００−７４２７４号公報
【特許文献２】特許第４８４２０１９号公報
【発明の概要】
【発明が解決しようとする課題】
【０００６】
前記のように、１対の管部材の接続部を接続するのに用いるアダプタとしては、通常合成樹脂製のアダプタが採用される。合成樹脂製のアダプタは肉厚が大きいため、そのアダプタの雄部を雌側管部材に内嵌すると、通路面積が小さくなって通路抵抗が大きくなるという問題がある。
【０００７】
アダプタにネジ結合部を形成し、アダプタをネジ結合により管部材に連結する場合、管部材やアダプタに雌側と雄側のネジ結合部を形成しなければならないため、製造コストが高価になるうえ、アダプタを適用可能な管部材が制約され、汎用性に欠けるものとなる。
また、アダプタをネジ結合せずに管部材に結合する構造では、管部材の接続前からアダプタを管部材に保持しておくことが難しく、アダプタの管理が面倒になる。
【０００８】
本発明の目的は、配管接続部材の雌側接続部同士を１つのクイックファスナにより接続可能で、通路抵抗の増大を招くことなく接続可能で、 配管接続部材の接続前からアダプタを配管接続部材に保持可能な配管接続用アダプタを提供することである。
【課題を解決するための手段】
【０００９】
請求項１の配管接続用アダプタは、配管接続部材との間をシールするシール部材を備え且つ互いに接続される１対の配管接続部材の間に介装される配管接続用アダプタであって、
前記配管接続用アダプタは、金属製パイプ材で短管状に形成されて前記１対の配管接続部材に挿入した状態に組み込み可能であり、前記配管接続用アダプタの少なくとも一方の端部には、前記配管接続部材の内部に形成された係止部に係合可能な係合部が形成されていることを特徴としている。
【００１０】
上記の構成によれば、配管接続用アダプタが金属製パイプ材で短管状に形成されているため、合成樹脂製のアダプタと比較して薄い肉厚のアダプタに形成できるため、１対の配管接続部材を接続した場合にそれらの内部に大きな通路面積を確保できるため通路抵抗が大きくなることがない。
【００１１】
また、前記配管接続用アダプタの少なくとも一方の端部には、前記配管接続部材の内部に形成された係止部に係合可能な係合部が形成されているため、係合部を係止部に係合させておくことで、１対の配管接続部材の接続前からアダプタを配管接続部材に保持しておくことができるためアダプタの管理が簡単になる。
【００１２】
請求項２の配管接続用アダプタは、請求項１の発明において、前記１対の配管接続部材は夫々フランジ部を有し、１対の前記フランジ部を１つのクイックファスナで連結可能にするために、前記配管接続用アダプタは１対の配管接続部材の内部に挿入した状態に装着可能であることを特徴としている。
【００１３】
上記の構成によれば、配管接続用アダプタは１対の配管接続部材の内部に挿入した状態に装着され、１対の前記フランジ部を１つのクイックファスナで連結することで、１対の配管接続部材を接続することができる。
【００１４】
請求項３の配管接続用アダプタは、請求項１又は２の発明において、前記係合部は、前記配管接続用アダプタの端部に外径側へ突出するように形成された複数の円弧状凸部を備え、この円弧状凸部同士間には軸心方向へ延びるスリットが形成されていることを特徴としている。
上記の構成によれば、前記係合部を係止部に係合させる場合に、複数のスリットを介して複数の円弧状凸部を縮径側に弾性変形させて係合させることができる。
【００１５】
請求項４の配管接続用アダプタは、請求項３の発明において、前記配管接続用アダプタは、給湯設備の湯水混合装置の配管接続部材と、前記湯水混合装置に接続される周辺機器の配管接続部材とを接続する配管接続部に組み込まれることを特徴としている。
上記の構成によれば、複数の円弧状凸部の間に形成される複数のスリットの部位において水や湯水に渦流を形成できるため、水と湯水の混合を促進することができる。
【発明の効果】
【００１６】
以上のように、本願の発明は種々の効果を奏する。
【図面の簡単な説明】
【００１７】
【図１】本発明の実施形態に係る湯水混合装置の斜視図である。
【図２】湯水混合装置の縦断面図である。
【図３】図２の上水導入部の配管接続構造の拡大図である。
【図４】図４に示したアダプタの斜視図である。
【図５】図５のアダプタの断面図である。
【図６】図２の混合湯水出口部の配管接続構造の拡大図である。
【図７】図２の混合湯水出口部に装着される特殊アダプタの斜視図である。
【図８】図７の特殊アダプタの外観図である。
【発明を実施するための形態】
【００１８】
以下、本発明の実施形態に係る配管接続用アダプタを組み込んだ湯水混合装置１であって給湯設備に装備される湯水混合装置１について、図面に基づいて説明する。
図１、図２に示すように、湯水混合装置１は、高温の湯を導入する湯導入部２と、上水を導入する上水導入部３と、高温の湯と上水を混合する混合室４と、混合された混合湯水を導出する混合湯水導出部５と、混合室４の下部に高温出湯回避用上水を導入する高温出湯回避用上水導入部６とを備えている。尚、図２中の矢印Ａは高温湯水の流入方向を示し、矢印Ｂは上水の導入方向を示す。
【００１９】
前記混合室４は上下に延びる鉛直姿勢の円筒体状の本体ケース１０の内部に形成され、この本体ケース１０の上端部分に混合室４よりも小径の湯導入部２が形成されている。
前記本体ケース１０の上部の側部には水平姿勢の上水導入管１１が一体形成され、この上水導入管１１の先端部に上水導入部３が形成されている。
前記本体ケース１０の下端部に混合湯水導出部５が形成され、本体ケース１０の下部の側部に高温出湯回避用上水導入部６が形成された水平姿勢の回避用上水導入管１２が一体形成されている。
【００２０】
次に、上水導入部３に上水導入配管１３を接続する配管接続構造１４について説明する。
図２〜図５に示すように、この配管接続構造１４は、上水導入管１１の上流端と上水導入配管１３の下流端とを配管接続用アダプタ１５（以下、アダプタという）を介して接続する接続構造である。尚、上水導入管１１と上水導入配管１３は「配管接続部材」に相当するものである。
【００２１】
この配管接続構造１４においては、上水導入配管１３の下流端部のフランジ部１３ａと上水導入管１１の上流端のフランジ部１１ａとを同軸状に当接させ、アダプタ１５を上水導入配管１３と上水導入管１１に挿入した状態に装着し、クイックファスナ１６によりフランジ部１３ａ，１１ａが連結される。
【００２２】
前記アダプタ１５は、金属製パイプ材（本実施形態では銅製パイプ材）で薄い肉厚の短管状に形成されて上水導入配管１３と上水導入管１１に挿入した状態に組み込まれる。アダプタ１５は、上水導入配管１３に形成された収容穴１７と上水導入管１１に形成された収容穴１８に装着される。尚、アダプタ１５は真鍮製のものやその他の金属製のものでもよい。
前記上水導入管１１の収容穴１８の下流端部には、収容穴１８よりも僅かに大径に形成した環状の係止溝１８ａ（これが、係止部に相当する）が形成されている。
【００２３】
アダプタ１５は、筒状部１９と、フランジ部２０と、係合部２１と、２つの金属製リング２２と、１対のＯリング２３を有し、筒状部１９の素材としての筒体に２つの金属製リング２２を外嵌させてから所定の金型内にセットした状態で、バルジ加工することで製作される。前記フランジ部２０は、筒状部１９の上流端部に断面Ｕ形に形成され、Ｏリング  ２３を抜け止めする機能を有する。また、金属製リング２２は係合部２１及びフランジ部
２０との間にＯリング装着隙間を形成する機能を有する。
【００２４】
前記係合部２１は、筒状部１９の下流端部に断面Ｕ形に形成され、この係合部２１は環状の係止溝１８ａに係合して上流側へ脱落しないように係止されている。前記係合部２１  は、外径側へ突出するように形成された複数の円弧状凸部２４を備え、この円弧状凸部２４１同士間には軸心方向へ延びるスリット２５が形成されている。係合部２１を収容穴  １８に導入する際に、複数の円弧状凸部２４を複数のスリット２５を介して縮径側へ弾性変形させた状態で係合部２１を収容穴１８に導入後係止溝１８ａに係合させる。
【００２５】
このように，係合部２１と係止溝１８ａを形成したため、配管接続構造１４を接続する前から係合部２１を係止溝１８ａに係止させることによりアダプタ１５を上水導入管１１  の収容穴１８に挿入した状態に保持することができる。
尚、フランジ部２０に代えて前記の係合部２１と同様の係合部を形成し、収容穴１７の上流端部に前記係止溝１８ａと同様の係止溝を形成してもよい。
【００２６】
金属製リング２２は本実施形態では真鍮製のものであり、２本の金属製リング２２は軸心方向に当接状態に並べた状態に配置され、金属製リング２２には浅い内周溝２２ａが形成されており、この内周溝２２ａに筒状部１９側のやや大径化した環状部１９ａが内嵌状態になっている。図３に示すように、フランジ部１３ａ，１１ａの当接面  と、２本の金属製リング２２の当接面とが一致する場合もあるが、アダプタ１５の上流端に上水圧が作用すると、係合部２１が係止溝１８ａの下流側環状端面１８ｂに当接状態になる場合もある。尚、２本の金属製リング２２に代えて１本の金属製リングを設けてもよい。
【００２７】
次に、混合湯水出口部５に流量計ケース３１を接続する配管接続構造３０について説明する。図２、図６〜図８に示すように、この配管接続構造３０は、前記配管接続構造１４  と略同じ構造であるので、同一の構造については簡単に説明する。
本体ケース１０は、フランジ部３２、収容穴３３、収容穴３３の上流端部の係止溝３３ａ等を有する。流量計ケース３１は、フランジ部３４、収容穴３５、この収容穴３５よりもやや小径の収容穴下流部３５ａ等を有する。尚、本体ケース１０と流量計ケース３１が「配管接続部材」に相当するものである。流量計ケース３１とその流量計ケース３１に組み込まれた流量計が、湯水混合装置に接続される周辺機器に相当するものである。
【００２８】
特殊アダプタ３６は、前記アダプタ１５と略同様のものであり、筒状部３７、係合部３８、フランジ部３９、２つの金属製リング４０、１対のＯリング４１と、フランジ部３９から下方へ所定長さ延長された延長筒部４２等を有する。係合部３８は、複数の円弧状凸部４３と、円弧状凸部４３同士間のスリット４４を有する。
前記延長筒部４２は、収容穴下流部３５ａに係合されている。金属製リング４０は内周溝４０ａを有し、筒状部３７は内周溝４０ａに内嵌した環状部３７ａを有する。
【００２９】
この配管接続構造３０を接続した状態においては、特殊アダプタ３６の上半部が収容穴３３に挿入され、特殊アダプタ３６の下半部が収容穴３５に挿入され、係合部３８が係止溝３３ａに収容され、延長筒部４２が収容穴下流部３５ａに挿入され、フランジ部３２，３４を当接状態にしてフランジ部３２，３４がクイックファスナ１６により連結される。
ここで、流量計ケース３１の下流端部の収容穴は、上側の収容穴３３と略同じ形状で、収容穴下流部３５ａは形成されていない。
【００３０】
それ故、組立て時に間違って、上下逆にした流量計ケース３１の端部部分に特殊アダプタ３６を挿入しようとすると、収容穴下流部３５ａが存在しないため、流量計ケース３１と延長筒部４２が衝突して流量計ケース３１を装着できないように構成してある。
それは、流量計ケース３１に組み込まれた流量計は、上下逆向きに装着した場合には流量測定精度が低下することに鑑み、流量計ケース３１を上下逆向きに装着できないようにするためである。このように、特殊アダプタ３６を活用して流量計ケース３１の組み付け間違いの発生を防止することができる。
【００３１】
次に、以上説明した湯水混合装着１と配管接続構造１４の作用効果について説明する。
アダプタ１５が金属製パイプ材で短管状に形成されているため、薄い肉厚のアダプタ１５に形成できるため、１対の上水導入配管１３と上水導入管１１を接続した場合にそれらの内部に大きな通路面積を確保できるため通路抵抗が大きくなることがない。
【００３２】
また、アダプタ１５の少なくとも一方の端部には、上水導入管１１の内部に形成された係止溝１８ａに係合可能な係合部２１が形成されているため、係合部２１を係止溝１８ａ  に係合させておくことで、上水導入配管１３と上水導入管１１の接続前からアダプタ１５  を上水導入管１１に保持しておくことができるためアダプタ１５の管理が簡単になる。
【００３３】
アダプタ１５は１対の上水導入配管１３と上水導入管１１の内部に全体を完全に挿入した状態に装着され、１対のフランジ部１３ａ，１１ａを１つのクイックファスナ１６で連結することで、上水導入配管１３と上水導入管１１を容易に接続することができる。
【００３４】
前記係合部２１を係止溝１８ａに係合させる場合に、複数のスリット２５を介して複数の円弧状凸部２４を縮径側に弾性変形させて係合させることができる。
複数の円弧状凸部２４の間に形成される複数のスリット２５の部位において上水に渦流を形成できるため、混合室４において水と湯水の混合を促進することができる。
高温出湯回避用上水導入部６を上水導入部３よりも下方の部位に形成したため、給湯設備から水抜きする際に高温出湯回避用上水導入部６から水抜きすることができるため、排水栓等を省略することができる。
【００３５】
前記の配管接続構造３０の作用効果は、配管接続構造１４の作用効果とほぼ同様であるので、異なる作用効果についてのみ説明する。
流量計ケース３１に収容穴３５と収容穴下流部３５ａを形成し、特殊アダプタ３６にそのフランジ部３９から延長した延長筒部４２を形成し、配管接続状態においてアダプタ  の延長筒部４２を収容穴下流部３５ａに挿入するように構成したため、流量計ケース３１を上下逆向きに装着できないようになり、アダプタ３６を活用して流量計ケース３１の組み付け間違いの発生を防止することができる。
【００３６】
次に、前記実施形態を部分的に変更する例について説明する。
１）前記係合部やフランジ部を断面Ｕ形と異なる形状（例えば、コ字形、台形等）に形成してもよい。
２）金属製リングの代わりに合成樹脂製の１本又は２本のリングを採用してもよい。
３）その他、当業者ならば、本発明を趣旨を逸脱しない範囲で、前記実施形態に種々の変更を付加した形態で実施可能であり、本発明はそれらの変更形態を包含するものである。
【符号の説明】
【００３７】
１      湯水混合装置
２      湯導入部
３      上水導入部
４      混合室
５      混合湯水導出部
１０    本体ケース（配管接続部材）
１１    上水導入管（配管接続部材）
１３    上水導入配管（配管接続部材）
１５，３６  配管接続用アダプタ
２１，３８  係合部
１８ａ，３３ａ    係止溝（係止部）
１１ａ，１３ａ，３２，３４      フランジ部
１６        クイックファスナ
３１        流量計ケース（配管接続部材）
２３，４１  Ｏリング（シール部材）
２４，４３  円弧状凸部
２５，４４  スリット
【図１】
2019143760.tif 000003
【図２】
2019143760.tif 000004
【図３】
2019143760.tif 000005
【図４】
2019143760.tif 000006
【図５】
2019143760.tif 000007
【図６】
2019143760.tif 000008
【図７】
2019143760.tif 000009
【図８】
2019143760.tif 000010